(57)【特許請求の範囲】
【請求項１】
支持台（３）内に略上下方向を向いた回転軸（１９）が配置されると共に、回転軸（１９）を軸心廻りに回転させる駆動装置が設けられ、回転軸（１９）の上端部に可撓性線材（４）の基部が連結されて、可撓性線材（４）が支持台（３）の上部から上方に向けて突出され、可撓性線材（４）が下方に向けて湾曲するように可撓性線材（４）の先端部に誘惑体（５）が装着されたペット用玩具であって、
誘惑体（５）の回転軸（１９）廻りの回転に伴って支持台（３）が逆方向に回転可能になると共に倒伏揺動可能になるように支持台（３）の底面（２４）が球面状に形成され、支持台（３）は倒伏揺動しても起き上がるようにその重心が下部に設定されていることを特徴とするペット用玩具。
【請求項２】
前記回転軸（１９）は支持台（３）の縦軸心（Ｘ）に対してずらされていることを特徴とする請求項１に記載のペット用玩具。
【請求項３】
支持台（３）は上下方向に長いダルマ形又は卵形に形成され、誘惑体（５）の回転軸（１９）廻りの回転速度が１回転内で早くなったり遅くなったりするように、前記回転軸（１９）のずれは支持台（３）の縦軸心（Ｘ）に対する傾斜によるずれであることを特徴とする請求項２に記載のペット用玩具。
【請求項４】
駆動装置がゼンマイバネを有するゼンマイ装置（２１）により構成されていることを特徴とする請求項１〜３のいずれか１項に記載のペット用玩具。
【請求項５】
前記誘惑体（５）は、空気抵抗の大きい抵抗体（３９）を有していることを特徴とする請求項１〜４のいずれか１項に記載のペット用玩具。
【請求項６】
前記支持台（３）内の下部に錘（２２）が設けられていることを特徴とする請求項１〜５のいずれか１項に記載のペット用玩具。
【請求項７】
可撓性線材（４）の先端部に誘惑体（５）が連結部（４７）を介して屈曲自在に連結されていることを特徴とする請求項１〜６のいずれか１項に記載のペット用玩具。
【発明の詳細な説明】
【技術分野】
【０００１】
本発明は、猫等のペットをじゃらして遊ばせるようにしたペット用玩具に関するものである。
【背景技術】
【０００２】
人の手を借りずに猫等のペットが勝手に遊ぶことができて、猫等のストレスや運動不足の解消になるようにしたペット用玩具には、支持台から上方向に突出した回転軸の上部に、回転腕を水平方向に突設し、回転腕の先端に紐を連結し、その紐の先端に誘惑体を装着し、モータで回転軸を回転させて、誘惑体を回転腕と共に回転軸廻りに回転させるようにしたものがある（例えば特許文献１，２）。
【先行技術文献】
【特許文献】
【０００３】
【特許文献１】実用新案登録第３０００９８４号公報
【特許文献２】実開平６−４１４６１号公報
【発明の概要】
【発明が解決しようとする課題】
【０００４】
しかし、従来の場合、回転軸が回転しても支持台が固定されたままで動くことはなく、また、誘惑体乃至回転軸廻りの回転が略一定速度に保持されており、誘惑体の動きが非常に単調であり、猫等のペットが直ぐに飽きてしまい猫等を十分にじゃらすことができないという問題があった。
本発明は上記問題点に鑑み、回転軸の回転に伴って支持台が動くし、誘惑体の動きが複雑になるようにして、猫等のペットを直ぐに飽きることなく十分にじゃらすことができるペット用玩具を提供することを目的としている。
【課題を解決するための手段】
【０００５】
本発明における課題解決のための具体的手段は、次の通りである。
この技術的課題を解決する本発明の技術的手段は、支持台３内に略上下方向を向いた回転軸１９が配置されると共に、回転軸１９を軸心廻りに回転させる駆動装置が設けられ、回転軸１９の上端部に可撓性線材４の基部が連結されて、可撓性線材４が支持台３の上部から上方に向けて突出され、可撓性線材４が下方に向けて湾曲するように可撓性線材４の先端部に誘惑体５が装着されたペット用玩具であって、
誘惑体５の回転軸１９廻りの回転に伴って支持台３が逆方向に回転可能になると共に倒伏揺動可能になるように支持台３の底面２４が球面状に形成され、支持台３は倒伏揺動しても起き上がるようにその重心が下部に設定されている点にある。
【０００６】
また、本発明の他の技術的手段は、前記回転軸１９は支持台３の縦軸心Ｘに対してずらされている点にある。
また、本発明の他の技術的手段は、支持台３は上下方向に長いダルマ形又は卵形に形成され、誘惑体５の回転軸１９廻りの回転速度が１回転内で早くなったり遅くなったりするように、前記回転軸１９のずれは支持台３の縦軸心Ｘに対する傾斜によるずれである点にある。
【０００７】
また、本発明の他の技術的手段は、駆動装置がゼンマイバネを有するゼンマイ装置２１により構成されている点にある。
また、本発明の他の技術的手段は、前記誘惑体５は、空気抵抗の大きい抵抗体３９を有している点にある。
また、本発明の他の技術的手段は、前記支持台３内の下部に錘２２が設けられている点にある。
【０００８】
また、本発明の他の技術的手段は、可撓性線材４の先端部に誘惑体５が連結部４７を介して屈曲自在に連結されている点にある。
【発明の効果】
【０００９】
本発明によれば、回転軸の回転に伴って支持台が回転軸とは逆方向に回転できるし、倒
伏揺動しながら動き回ることができ、可撓性線材が可撓性によって揺動して誘導体が上下動するのと相俟って、誘惑体の動きが非常に複雑になり、支持台の動きと誘惑体の複雑な動きによって猫等のペットを直ぐに飽きることなく十分にじゃらすことができる。
【図面の簡単な説明】
【００１０】
【図１】本発明の第１実施形態を示すペット用玩具の分解図で、（ａ）は支持台の前構成体側の背面図、（ｂ）は支持台の後構成体側の正面図である。
【図２】同図１のＡ−Ａ線に相当するペット用玩具の断面図である。
【図３】同ペット用玩具の側面図である。
【図４】同ペット用玩具の背面図である。
【図５】同動作説明用のペット用玩具の正面図である。
【図６】第２実施形態を示すペット用玩具の背面断面図である。
【発明を実施するための形態】
【００１１】
以下、本発明の実施の形態を図面に基づいて説明する。
図１〜図４は本発明の第１実施形態を示している。図１〜図４において、ペット用玩具１は、支持台３と、支持台３の上部から突出された可撓性線材４と、可撓性線材４の先端部に装着された誘惑体５とを備える。
支持台３は、硬質な合成樹脂等により内部に空洞７を有する上下方向に長いダルマ形に形成されている。支持台３の外観形状が耳や尻尾や口部分を有する猫の形状とされ、外面には猫を表す色や模様が施されている。
【００１２】
この支持台３は、半割球面状の前構成体９と後構成体１０とを有し、これらの対向端部同士を嵌合固定してなり、前構成体９の後端部に環状の外嵌合凸部１３と環状の内嵌合凹部１４とが形成され、後構成体１０の前端部に環状の内嵌合凸部１５と環状の外嵌合凹部１６とが形成されており、外嵌合凸部１３と外嵌合凹部１６とを嵌合すると共に内嵌合凹部１４と内嵌合凸部１５とを嵌合してねじ等で固定することにより、ダルマ形状に構成されている。
【００１３】
支持台３内（空洞７）の上部の縦軸心Ｘの近傍に略上下方向を向いた回転軸１９が配置され、支持台３内の中央部に回転軸１９をその軸心Ｙ廻りに回転させる駆動装置であるゼンマイ装置２１が設けられている。支持台３内の下部に鉛や鉄により構成された錘２２が設けられている。
支持台３はその底面が球面状に形成されており、支持台３を床等に載置した際にその載置面との接触面積が小さくて不安定な姿勢になるため、誘惑体５の回転軸１９廻りの回転に伴ってその反作用で支持台３が逆方向に回転可能であると共に倒伏揺動可能になっている。また、錘２２によって、支持台３の重心が下部に設定されており、支持台３が倒伏揺動しても元の状態に起き上がるようになっている。
【００１４】
ゼンマイ装置２１は、図示省略のゼンマイバネを収納したボックス体２６と、ゼンマイバネを巻くための摘み２７と、摘み２７の連動軸２８に外嵌固定した第１ギヤ３１とこの第１ギヤ３１に噛合した第２ギヤ３２と、回転軸１９を上方突出状に固定した回転体３３とを備え、回転体３３に第２ギヤ３２が噛合されている。
摘み２７は連動軸２８を介してゼンマイバネの内端基部に連結されており、摘み２７を矢印ａ方向に回転するとゼンマイバネが巻かれ、摘み２７を放すと、ゼンマイバネの弾性力によって摘み２７が矢印ｂ方向に回転し、この回転力が第１ギヤ３１及び第２ギヤ３２を介して回転体３３に伝達されて、回転軸１９が矢印ｃ方向に回転するように構成されている。例えば、摘み２７を矢印ａ方向に５回転程度回転してゼンマイバネを巻くと、回転軸１９が２５０回転程度回転するようになっている。
【００１５】
連動軸２８はボックス体２６から後方に突出されて支持台３後部中央の挿通孔３４を介して支持台３の後方に突出され、この突出端部に摘み２７が外嵌固着されて、摘み２７は支持台３の後部中央に外方突出されている。
回転軸１９の上部は支持台３に上端部から挿通孔３５を介して上方に突出されており、回転軸１９の上部に連結具３７が嵌合固定されている。
【００１６】
回転軸１９（の軸心Ｙ）は支持台３の縦軸心Ｘに対し傾斜されてずらされている。これ
により、回転軸１９は軸心Ｙ廻りに回転するばかりではなく、支持台３の回転に伴って縦軸心Ｘ廻りにも回転するし、誘惑体５が空気抵抗を受けることとも相俟って、回転軸１９が一定速度で回転しようとしても、その１回転内で誘惑体５の回転軸１９廻りの回転速度が早くなったり遅くなったりするようになっている。
【００１７】
可撓性線材４は可撓性を有すると共に塑性変形可能なステンレス線等によって構成されており、誘惑体５の重み等によって撓むことが可能であると共に、手の力で簡単に塑性変形により自在に曲げることができるようになっている。
可撓性線材４の基部が連結具３７に内嵌固着されており、これにより、可撓性線材４の基部が回転軸１９の上部に連結されて、可撓性線材４は支持台３の上部から上方に向けて突出されている。可撓性線材４の先端部に誘惑体５が連結され、可撓性線材４は支持台３の上部から上方に向けて突出された後に、誘惑体５の重みによって又は塑性変形によって下方に湾曲されており、全体として上方に向けて凸状又は逆Ｕ字状に湾曲されている。
【００１８】
誘惑体５は、鳥や昆虫の形状をしていて空気抵抗の大きい羽根等の抵抗体３９を有しており、可撓性線材４乃至誘惑体５が回転軸１９廻りに回動する際の抵抗になっている。これにより、回転軸１９の回転が遅くなり長期間にわたって回転するようになっている。例えば、ゼンマイバネを巻いてから２分〜７分間程度に亘って２５０回転程度回動し続けることができるようになっている。なお、誘惑体５は、鳥や昆虫の形状をしていて抵抗体３９を有するものであってもよいし、単に単数又は複数の抵抗体３９を有するものであってもよい。
【００１９】
前記第１実施形態によれば、猫等のペットをじゃらす場合、摘み２７を矢印ａ方向に２回転程度回転してゼンマイバネを巻き、支持台３を床等におくと、回転軸１９が矢印ｃ方向に回転し、可撓性線材４及び誘惑体５が回転軸１９廻りにｃ方向に回転する。このとき、可撓性線材４が誘惑体５の重みにより上下に大きく揺動しながら回転して、誘惑体５が上下動する。誘惑体５は空気抵抗の大きい抵抗体３９を有しているため、回転軸１９の回転が遅くなり、回転軸１９が２５０回転程度を２分〜７分間程度に亘って回転し続けることができる。
【００２０】
このとき、支持台３を置いた床等が滑り易い場合は、支持台３はその底面２４が球面状に形成されているため、誘惑体５の回転軸１９廻りの回転に伴って、支持台３が逆方向（矢印ｄ方向）に回転すると共に倒伏揺動しながら動き回る。しかも、回転軸１９は支持台３の縦軸心Ｘに対し傾斜されているため、回転軸１９が一定速度で回転しても、その１回転内で誘惑体５の回転軸１９廻りの回転速度が早くなったり遅くなったりする。
【００２１】
さらに、回転軸１９の駆動装置がゼンマイ装置２１であるため、回転軸１９の回転速度が変動し易く、回転のはじめと終わりとでは回転速度が異なるため、回転軸１９の回転速度の変動によっても、誘惑体５の動きに変動が生じて、猫等のペットに興味をそそらせることができる。
従って、回転軸１９の回転に伴って支持台３が回転軸１９とは逆方向に回転できるし、倒伏揺動しながら動き回ることができ、可撓性線材４が可撓性によって揺動して誘惑体５が上下動するのと相俟って、誘惑体５の動きが非常に複雑になり、支持台３の動きと誘惑体５の複雑な動きによって猫等のペットを直ぐに飽きることなく十分にじゃらすことができる。
【００２２】
また、支持台３を置いた床等に絨毯や座布団が敷いてあって滑り難い場合には、滑り易い床等に設置した場合とは異なり、回転軸１９の回転に伴って支持台３が回転したり倒伏揺動したりすることがなくなり、同一位置に停止した状態で、回転軸１９の回転に伴って、可撓性線材４及び誘惑体５が回転軸１９廻りの矢印ｃ方向に回転する。このとき、可撓性線材４が誘惑体５の重みにより上下に大きく揺動しながら回転して、誘惑体５が上下動する。
【００２３】
従って、支持台３を置いた場所が滑り易いか、滑り難いかによっても、誘惑体５の動きを変更させることができ、ペットを好みに応じて誘惑体５の動きに様々な変化を付けることができ、この点からも、猫等のペットを直ぐに飽きることなく十分にじゃらすことができる。
また、回転軸１９の駆動装置がゼンマイ装置２１であるため、回転軸１９の回転の途中で猫等のペットが誘惑体５を捕まえて、回転軸１９の回転の止まるようなことがあっても、その停止期間はゼンマイバネが巻き戻らないので、ペットが誘惑体５を放すと、回転軸１９は再び回転を続け、その回転停止期間を除いた所望の回転期間までは回転を続けることとなる。従って、回転軸１９が途中で回転停止してもそのまま回転軸１９の回転が停止するようなことがなくなり、回転軸１９の所望の回転期間を確保することができ、ペットを一定期間じゃらすことができる。
【００２４】
図６は第２実施形態を示し、支持台３は、内部に空洞７を有する上下方向に長い卵形に形成されている。支持台３の外観形状が耳や尻尾や口部分を有するネズミの形状とされ、外面にはネズミを表す色や模様が施されている。
この支持台３は、半割球面状の下構成体４３と上構成体４４とを有し、これらの対向端部同士を嵌合固定してなり、下構成体４３の上端部に環状の内嵌合凸部１５と環状の外嵌合凹部１６とが形成され、上構成体４４の下端部に環状の外嵌合凸部１３と環状の内嵌合凹部１４とが形成されており、内嵌合凸部１５と内嵌合凹部１４とを嵌合すると共に外嵌合凹部１６と外嵌合凸部１３とを嵌合して接着剤等で接着固定することにより、卵形状に形成されている。
【００２５】
また、可撓性線材４の先端部に誘惑体５が、球継手等により構成してなる又はリングを鎖状に連結してなる連結部４７を介して屈曲自在に連結されており、誘惑体５は可撓性線材４の先端部に対して首振り揺動可能とされている。その他の点は前記第１実施形態の場合と同様の構成である。
従って、第２実施形態では、支持台３が逆方向に回転可能であると共に倒伏揺動可能であることに加えて、回転軸１９の回転に伴って可撓性線材４に対して誘惑体５を首振り揺動させることができ、より一層誘惑体５の動きに変化を付けることができる。
【００２６】
なお、前記実施形態では、支持台３内の下部に回転軸１９を軸心廻りに回転させる駆動装置として、ゼンマイ装置２１が設けられているが、これに代え、支持台３内の下部に回転軸１９を軸心廻りに回転させる駆動装置として、モータと該モータの電力を供給する電池を設けるようにしてもよい。
また、前記実施形態では、支持台３の下部に錘２２を設けているが、これに代え、錘２２を省略し、支持台３の下部にゼンマイ装置２１等の駆動装置を配置することによって、支持台３の重心を下部に設定するようにしてもよい。
【００２７】
また、前記実施形態では、回転軸１９は支持台３の縦軸心Ｘに対して傾斜によってずらされているが、これに代え、回転軸１９を支持台３の縦軸心Ｘに対して平行移動させることによりずらすようにしてもよい。
また、前記実施形態では、支持台３は上下方向に長いダルマ形又は卵形に形成されているが、これに代え、支持台３は底面２４が球面形状であればよく、底部よりも上側は円柱形状、角柱形状、瓢箪形状その他であってもよい。
【００２８】
なお、前記実施形態では、摘み２７を矢印ａ方向に回転するとゼンマイバネが巻かれ、回転軸１９が矢印ｃ方向に回転するように構成されているが、これに代え、摘み２７を矢印ａ方向と逆方向に回転するとゼンマイバネが巻かれるようにしてもよいし、回転軸１９が矢印ｃ方向とは逆方向に回転するようにしてもよいことは勿論である。
【符号の説明】
【００２９】
１      ペット用玩具
２      支持台
４      可撓性線材
５      誘惑体
１９    回転軸
２１    ゼンマイ装置（駆動装置）
２２    錘
２４    底面
３９    抵抗体
【図１】
0006382173.tif 000002
【図２】
0006382173.tif 000003
【図３】
0006382173.tif 000004
【図４】
0006382173.tif 000005
【図５】
0006382173.tif 000006
【図６】
0006382173.tif 000007